(57)【要約】      （修正有）【課題】トレイ状の箱体に容易に組み立て可能であると共に、箱体の座屈強度を十分に大きくすることができる箱用シートを提供する。【解決手段】箱用シートは、組立状態でそれぞれ対向する一対の側面パネル２ａ、２ｂ及び一対の端面パネル３ａ、３ｂと、側面パネルの上縁から延出し、内側に略垂直に折り曲げられる一対の第１接続パネル４ａ、４ｂと、第１接続パネルの先端縁から延出し、側面パネルの内面側に折り返される一対の第１折り返しパネル５ａ、５ｂと、端面パネルの上縁から延出し、内側に略垂直に折り曲げられる一対の第２接続パネル６ａ、６ｂと、第２接続パネルの先端縁から延出し、端面パネルの内面側に折り返される一対の第２折り返しパネル７ａ、７ｂとを備え、第２折り返しパネルの両側縁に、基端から先端側に向けて幅方向の外側に傾斜する傾斜部１１が形成され、組立状態で、第１折り返しパネルの内面が傾斜部に支持される。【選択図】図１
0003226980.tif 000002
【実用新案登録請求の範囲】
【請求項１】
１枚のシート材から形成され、トレイ状の箱体に組み立て可能な箱用シートであって、
組立状態でそれぞれ対向する一対の側面パネル及び一対の端面パネルと、
上記一対の側面パネルの上縁から延出し、内側に略垂直に折り曲げられる一対の第１接続パネルと、
上記一対の第１接続パネルの先端縁から延出し、上記一対の側面パネルの内面側に折り返される一対の第１折り返しパネルと、
上記一対の端面パネルの上縁から延出し、内側に略垂直に折り曲げられる一対の第２接続パネルと、
上記一対の第２接続パネルの先端縁から延出し、上記一対の端面パネルの内面側に折り返される一対の第２折り返しパネルと
を備え、
上記第１折り返しパネルの延出方向長さが上記側面パネルの上下方向長さと等しく、かつ上記第２折り返しパネルの延出方向長さが上記端面パネルの上下方向長さと等しく、
上記一対の第２折り返しパネルの基端側の両側縁が、組立状態で上記一対の第１接続パネル同士の間に挟まれるように切り欠かれており、
上記一対の第２折り返しパネルの上記両側縁に、その基端から先端側に向けて幅方向の外側に傾斜する傾斜部が形成されており、
組立状態で、上記第１折り返しパネルの内面が上記傾斜部に支持される箱用シート。
【請求項２】
上記一対の側面パネルの下縁から延出し、先端縁同士が突き合わされる一対の底外フラップと、
上記一対の端面パネルの下縁から延出し、上記一対の底外フラップの上方に折り重ねられる一対の底内フラップと
をさらに備え、
上記一対の第１折り返しパネルの先端部が、上記一対の底内フラップの側縁によって内側から支持される請求項１に記載の箱用シート。
【請求項３】
上記一対の第２折り返しパネルの上記両側縁に、上記傾斜部の先端から連続し、上下方向に延びる直線状の非傾斜部が形成されており、
上記非傾斜部が上記第２折り返しパネルの先端縁まで至っている請求項１又は請求項２に記載の箱用シート。
【請求項４】
上記非傾斜部の長さが５ｍｍ以上２５ｍｍ以下である請求項３に記載の箱用シート。
【請求項５】
上記第１折り返しパネルが矩形状である請求項１から請求項４のいずれか１項に記載の箱用シート。
【考案の詳細な説明】
【技術分野】
【０００１】
本考案は、箱用シートに関する。
【背景技術】
【０００２】
物品の保管等に段ボールシートから組み立てられるトレイ状の箱体が用いられている（特開２０１５−７４４６９号公報参照）。
【先行技術文献】
【特許文献】
【０００３】
【特許文献１】特開２０１５−７４４６９号公報
【考案の概要】
【考案が解決しようとする課題】
【０００４】
上記公報には、それぞれ対向する一対の側壁及び一対の端壁と、上記一対の側壁の内面の上側部分に折り重ねられる一対の第１内側壁板部と、上記一対の端壁の内面の上側部分に折り重ねられる一対の第２内側壁板部とを備える箱が記載されている。上記公報には、上記第１内側壁板部及び上記第２内側壁板部のうち一方の内側壁板部の側縁に面取部が形成され、他方の内側壁板部の側縁に先端角部が形成された構成が記載されている。上記公報には、先端角部が面取部に係止されることで容易にトレイ状に形成できることが記載されている。
【０００５】
しかしながら、上記公報に記載の構成によっては、箱体の座屈強度を十分に大きくし難く、例えば複数の箱体が段積みされる場合等に座屈強度が不十分となりやすい。
【０００６】
本考案は、このような不都合に鑑みてなされたものであり、トレイ状の箱体に容易に組み立て可能であると共に、この箱体の座屈強度を十分に大きくすることができる箱用シートの提供を目的とする。
【課題を解決するための手段】
【０００７】
上記課題を解決するためになされた本考案の一態様に係る箱用シートは、１枚のシート材から形成され、トレイ状の箱体に組み立て可能な箱用シートであって、組立状態でそれぞれ対向する一対の側面パネル及び一対の端面パネルと、上記一対の側面パネルの上縁から延出し、内側に略垂直に折り曲げられる一対の第１接続パネルと、上記一対の第１接続パネルの先端縁から延出し、上記一対の側面パネルの内面側に折り返される一対の第１折り返しパネルと、上記一対の端面パネルの上縁から延出し、内側に略垂直に折り曲げられる一対の第２接続パネルと、上記一対の第２接続パネルの先端縁から延出し、上記一対の端面パネルの内面側に折り返される一対の第２折り返しパネルとを備え、上記第１折り返しパネルの延出方向長さが上記側面パネルの上下方向長さと等しく、かつ上記第２折り返しパネルの延出方向長さが上記端面パネルの上下方向長さと等しく、上記一対の第２折り返しパネルの基端側の両側縁が、組立状態で上記一対の第１接続パネル同士の間に挟まれるように切り欠かれており、上記一対の第２折り返しパネルの上記両側縁に、その基端から先端側に向けて幅方向の外側に傾斜する傾斜部が形成されており、組立状態で、上記第１折り返しパネルの内面が上記傾斜部に支持される。
【考案の効果】
【０００８】
本考案の一態様に係る箱用シートは、トレイ状の箱体に容易に組み立て可能であると共に、この箱体の座屈強度を十分に大きくすることができる。
【図面の簡単な説明】
【０００９】
【図１】図１は、本考案の一実施形態に係る箱用シートを示す模式的平面図である。
【図２】図２は、図１の箱用シートを組み立ててなる箱体の模式的斜視図である。
【図３】図３は、図２の箱体のＩＩＩ−ＩＩＩ線断面図である。
【図４】図４は、図２の箱体のＩＶ−ＩＶ線断面図である。
【考案を実施するための形態】
【００１０】
［本考案の実施形態の説明］
最初に本考案の実施態様を列記して説明する。
【００１１】
本考案に係る箱用シートは、１枚のシート材から形成され、トレイ状の箱体に組み立て可能な箱用シートであって、組立状態でそれぞれ対向する一対の側面パネル及び一対の端面パネルと、上記一対の側面パネルの上縁から延出し、内側に略垂直に折り曲げられる一対の第１接続パネルと、上記一対の第１接続パネルの先端縁から延出し、上記一対の側面パネルの内面側に折り返される一対の第１折り返しパネルと、上記一対の端面パネルの上縁から延出し、内側に略垂直に折り曲げられる一対の第２接続パネルと、上記一対の第２接続パネルの先端縁から延出し、上記一対の端面パネルの内面側に折り返される一対の第２折り返しパネルとを備え、上記第１折り返しパネルの延出方向長さが上記側面パネルの上下方向長さと等しく、かつ上記第２折り返しパネルの延出方向長さが上記端面パネルの上下方向長さと等しく、上記一対の第２折り返しパネルの基端側の両側縁が、組立状態で上記一対の第１接続パネル同士の間に挟まれるように切り欠かれており、上記一対の第２折り返しパネルの上記両側縁に、その基端から先端側に向けて幅方向の外側に傾斜する傾斜部が形成されており、組立状態で、上記第１折り返しパネルの内面が上記傾斜部に支持される。
【００１２】
当該箱用シートは、上記一対の第１接続パネル及び上記一対の第２接続パネルを、各接続パネルが連接されている上記側面パネル及び上記端面パネルの内側に略垂直に折り曲げ、さらに上記一対の第１折り返しパネルを上記一対の側面パネルの内面側に折り返したうえで、上記一対の第２折り返しパネルを、上記傾斜部で上記一対の第１折り返しパネルの内面を支持するように上記一対の端面パネルの内面側に折り返すことで容易にトレイ状の箱体に組み立てられる。当該箱用シートは、上記第１折り返しパネルの延出方向長さが上記側面パネルの上下方向長さと等しく、かつ上記第２折り返しパネルの延出方向長さが上記端面パネルの上下方向長さと等しいので、箱体の４つの側壁をそれぞれ２枚のパネル（上記側面パネルと上記第１折り返しパネル、並びに上記端面パネルと上記第２折り返しパネル）によって形成することができる。当該箱用シートは、組立状態で、上記第１折り返しパネルの内面が上記傾斜部に支持されているので、上記一対の第１接続パネル及び上記一対の第２接続パネルの上方から荷重が加えられた場合でも、上記一対の第１折り返しパネル及び上記一対の第２折り返しパネルの折り返し形状が維持されやすい。従って、当該箱用シートは、組み立てられる箱体の座屈強度を十分に大きくすることができる。
【００１３】
上記一対の側面パネルの下縁から延出し、先端縁同士が突き合わされる一対の底外フラップと、上記一対の端面パネルの下縁から延出し、上記一対の底外フラップの上方に折り重ねられる一対の底内フラップとをさらに備え、上記一対の第１折り返しパネルの先端部が、上記一対の底内フラップの側縁によって内側から支持されるとよい。このように、上記一対の側面パネルの下縁から延出し、先端縁同士が突き合わされる一対の底外フラップと、上記一対の端面パネルの下縁から延出し、上記一対の底外フラップの上方に折り重ねられる一対の底内フラップとをさらに備え、上記一対の第１折り返しパネルの先端部が、上記一対の底内フラップの側縁によって内側から支持されることによって、上記一対の第１折り返しパネル及び上記一対の第２折り返しパネルの折り返し形状がより安定的に維持される。その結果、箱体の強度を容易かつ確実に維持することができる。
【００１４】
上記一対の第２折り返しパネルの上記両側縁に、上記傾斜部の先端から連続し、上下方向に延びる直線状の非傾斜部が形成されており、上記非傾斜部が上記第２折り返しパネルの先端縁まで至っているとよい。このように、上記一対の第２折り返しパネルの上記両側縁に、上記傾斜部の先端から連続し、上下方向に延びる直線状の非傾斜部が形成されており、上記非傾斜部が上記第２折り返しパネルの先端縁まで至っていることによって、上記一対の第１折り返しパネルを、上記側面パネルと上記非傾斜部との間に挟み込みやすい。その結果、箱体の座屈強度をより大きくすることができる。
【００１５】
上記非傾斜部の長さとしては５ｍｍ以上２５ｍｍ以下が好ましい。このように、上記非傾斜部の長さが上記範囲内であることによって、箱体の座屈強度を容易かつ確実に大きくすることができる。
【００１６】
上記第１折り返しパネルが矩形状であるとよい。このように、上記第１折り返しパネルが矩形状であることによって、上記第１折り返しパネルの内面を上記傾斜部によって容易かつ確実に支持することができる。
【００１７】
なお、本考案において、「上」とは、箱用シートを組み立ててなる箱体の想定される一般的な使用態様における「上」を意味し、「下」とは、箱用シートを組み立ててなる箱体の想定される一般的な使用態様における「下」を意味する。また、「内」とは、箱体における「内」を意味する。延出方向長さが「等しい」とは、延出方向長さ同士の差が１０ｍｍ以下であることをいい、好ましくは５ｍｍ以下、より好ましくは３ｍｍ以下であることをいう。
【００１８】
［本考案の実施形態の詳細］
以下、適宜図面を参照しつつ、本考案の実施の形態を詳説する。
【００１９】
［第一実施形態］
＜箱用シート＞
図１の箱用シート１は、１枚のシート材から形成される。当該箱用シート１は、トレイ状の箱体に組み立て可能であり、具体的には図２〜図４の箱体２０に組み立てられる。当該箱用シート１は、組立状態でそれぞれ対向する一対の側面パネル２ａ、２ｂ及び一対の端面パネル３ａ、３ｂと、一対の側面パネル２ａ、２ｂの上縁から延出し、内側に略垂直に折り曲げられる一対の第１接続パネル４ａ、４ｂと、一対の第１接続パネル４ａ、４ｂの先端縁から延出し、一対の側面パネル２ａ、２ｂの内面側に折り返される一対の第１折り返しパネル５ａ、５ｂと、一対の端面パネル３ａ、３ｂの上縁から延出し、内側に略垂直に折り曲げられる一対の第２接続パネル６ａ、６ｂと、一対の第２接続パネル６ａ、６ｂの先端縁から延出し、一対の端面パネル３ａ、３ｂの内面側に折り返される一対の第２折り返しパネル７ａ、７ｂとを備える。一対の側面パネル２ａ、２ｂ及び一対の端面パネル３ａ、３ｂは、左右方向に交互に連接されている。当該箱用シート１は、一対の側面パネル２ａ、２ｂのうち、左右方向外側（本実施形態では左右方向左側）に配置される側面パネル２ａの左右方向外側の側縁（端面パネル３ａと連接される側と反対側の側縁）に連接される糊代８を備える。また、当該箱用シート１は、一対の側面パネル２ａ、２ｂの下縁から延出し、先端縁同士が突き合わされる一対の底外フラップ９ａ、９ｂと、一対の端面パネル３ａ、３ｂの下縁から延出し、一対の底外フラップ９ａ、９ｂの上方に折り重ねられる一対の底内フラップ１０ａ、１０ｂとを備える。なお、「左右方向」とは、箱用シートを組み立ててなる箱体の想定される一般的な使用態様における水平方向を意味する。また、図１において、太い実線はシートを切断して形成される切断線を示し、細い実線はシートの内面を筋押しして形成される罫線を示す。
【００２０】
第１折り返しパネル５ａ、５ｂの延出方向長さは、側面パネル２ａ、２ｂの上下方向長さと等しい。第２折り返しパネル７ａ、７ｂの延出方向長さは、端面パネル３ａ、３ｂの上下方向長さと等しい。一対の第２折り返しパネル７ａ、７ｂの基端側の両側縁は、組立状態（図２の状態）で一対の第１接続パネル４ａ、４ｂ同士の間に挟まれるように切り欠かれている。端面パネル３ａ、３ｂの側縁を基準とする第２折り返しパネル７ａ、７ｂの基端縁の切り欠き深さＤは、第１接続パネル４ａ、４ｂの延出方向長さＬ１と略等しい。一対の第２折り返しパネル７ａ、７ｂの両側縁には、その基端から先端側に向けて幅方向の外側に傾斜する傾斜部１１が形成されている。図３に示すように、組立状態で、第１折り返しパネル５ａ、５ｂの内面は傾斜部１１に支持されている。
【００２１】
当該箱用シート１を箱体２０に組み立てる手順について説明する。まず、左右方向外側（本実施形態では左右方向左側）に位置する側面パネル２ａをこの側面パネル２ａに連接される端面パネル３ａの内面に折り重ね、左右方向外側（本実施形態では左右方向右側）に位置する端面パネル３ｂをこの端面パネル３ｂに連接される側面パネル２ｂの内面に折り重ね、糊代８を折り重ねられた端面パネル３ｂの内面に貼着する。続いて、無端状に接続された一対の側面パネル２ａ、２ｂ及び一対の端面パネル３ａ、３ｂを四角筒状に広げたうえ、一対の底内フラップ１０ａ、１０ｂを内側に折り曲げ、さらに一対の底外フラップ９ａ、９ｂを内側に折り曲げて先端縁同士を突き合わせ、箱体２０の底部を形成する。一対の底外フラップ９ａ、９ｂの先端縁同士の突き合わせ部には、例えば封函テープＸが貼着される。次に、一対の第１接続パネル４ａ、４ｂを内側に略垂直に折り曲げたうえ、これらの第１接続パネル４ａ、４ｂの先端縁から延出する一対の第１折り返しパネル５ａ、５ｂを一対の側面パネル２ａ、２ｂの内面側に折り返す。そして、一対の第２接続パネル６ａ、６ｂを内側に略垂直に折り曲げたうえ、これらの第２接続パネル６ａ、６ｂの先端縁から延出する一対の第２折り返しパネル７ａ、７ｂを一対の端面パネル３ａ、３ｂの内面側に折り返す。この際、一対の第２折り返しパネル７ａ、７ｂは、一対の端面パネル３ａ、３ｂと平行に配置されるように折り返す。一対の第２折り返しパネル７ａ、７ｂが一対の端面パネル３ａ、３ｂの内面側に折り返されることで、一対の第１折り返しパネル５ａ、５ｂの内面は、一対の第２折り返しパネル７ａ、７ｂの傾斜部１１に支持される。すなわち、一対の第１折り返しパネル５ａ、５ｂは、基端側（第１接続パネル４ａ、４ｂと連接される側）から先端側に向けて隣接する側面パネル２ａ、２ｂ側に近接するように傾斜部１１によって支持される。これにより、一対の第１折り返しパネル５ａ、５ｂと傾斜部１１とが干渉し合い、一対の第１折り返しパネル５ａ、５ｂと一対の第２折り返しパネル７ａ、７ｂとの姿勢が安定的に維持される。
【００２２】
当該箱用シート１に用いられるシート材としては、当該箱用シート１を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、製造コストが低く、かつ箱体２０の座屈強度を高めやすい段ボールシートが特に好ましい。当該箱用シート１を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２３】
（側面パネル）
一対の側面パネル２ａ、２ｂは矩形状かつ略同一形状に形成されている。一対の側面パネル２ａ、２ｂは、箱体２０の長さ面を形成する。側面パネル２ａ、２ｂの左右方向長さは端面パネル３ａ、３ｂの左右方向長さよりも大きい。
【００２４】
側面パネル２ａ、２ｂの左右方向長さとしては、箱体２０に収容する物品の大きさ等に基づいて適宜設定可能であるが、例えば２０ｃｍ以上５０ｃｍ以下とすることができる。側面パネル２ａ、２ｂの上下方向長さとしては、箱体２０に収容する物品の大きさ等に基づいて適宜設定可能であるが、例えば５ｃｍ以上２０ｃｍ以下とすることができる。
【００２５】
（端面パネル）
一対の端面パネル３ａ、３ｂは矩形状かつ略同一形状に形成されている。端面パネル３ａ、３ｂの左右方向長さとしては、箱体２０に収容する物品の大きさ等に基づいて適宜設定可能であるが、例えば１５ｃｍ以上４０ｃｍ以下とすることができる。端面パネル３ａ、３ｂの上下方向長さとしては、側面パネル２ａ、２ｂの上下方向長さと同じとすることができる。
【００２６】
（第１接続パネル）
一対の第１接続パネル４ａ、４ｂは矩形状かつ同一形状に形成されている。一対の第１接続パネル４ａ、４ｂは、複数の箱体２０を段積みする際に、上側に配置される箱体２０を支える支持部を構成する。第１接続パネル４ａ、４ｂの幅は、側面パネル２ａ、２ｂの左右方向長さと略等しい。第１接続パネル４ａ、４ｂの延出方向長さの下限としては、１．５ｃｍが好ましく、２．０ｃｍがより好ましい。一方、上記延出方向長さの上限としては、４．０ｃｍが好ましく、３．５ｃｍがより好ましい。上記延出方向長さが上記下限に満たないと、上側に段積みされる他の箱体２０を安定的に支持し難くなるおそれがある。逆に、上記延出方向長さが上記上限を超えると、箱体２０に組み立てられた状態で、側面パネル２ａ、２ｂに対する第１折り返しパネル５ａ、５ｂの傾斜角度が大きくなり過ぎて、第１折り返しパネル５ａ、５ｂの姿勢が不安定になるおそれや、箱体２０の座屈強度を十分に大きくし難くなるおそれがある。
【００２７】
（第１折り返しパネル）
一対の第１折り返しパネル５ａ、５ｂは矩形状かつ同一形状に形成されている。第１折り返しパネル５ａ、５ｂは、第２折り返しパネル７ａ、７ｂの側縁を係止可能な切り欠きを有しない。当該箱用シート１は、第１折り返しパネル５ａ、５ｂが矩形状であることによって、第１折り返しパネル５ａ、５ｂの内面を傾斜部１１によって容易かつ確実に支持することができる。
【００２８】
上述のように、第１折り返しパネル５ａ、５ｂの延出方向長さは、側面パネル２ａ、２ｂの上下方向長さと等しい。図３に示すように、第１折り返しパネル５ａ、５ｂの先端縁（箱体２０における下端縁）は、側面パネル２ａ、２ｂの内面に当接した状態で、箱体２０の底部近傍に配置される。第１折り返しパネル５ａ、５ｂの先端縁は、箱体２０の底部の上面に当接していることが好ましい。本実施形態においては、第１折り返しパネル５ａ、５ｂの先端縁は、底外フラップ９ａ、９ｂの上面に当接していることが好ましい。
【００２９】
第１折り返しパネル５ａ、５ｂの幅は、第１接続パネル４ａ、４ｂの幅と等しい。図４に示すように、箱体２０において、第１折り返しパネル５ａ、５ｂの両側縁１３は、端面パネル３ａ、３ｂと第２折り返しパネル７ａ、７ｂとの間に配置される。
【００３０】
第１折り返しパネル５ａ、５ｂと第１接続パネル４ａ、４ｂとの間の境界線には、シート材の内面に筋押しして形成された複数の罫線と複数のスリットとが交互に配置されたリード罫線が形成されていることが好ましい。この構成によると、第１折り返しパネル５ａ、５ｂを第１接続パネル４ａ、４ｂとの境界線で容易かつ確実に折り曲げやすい。
【００３１】
（第２接続パネル）
一対の第２接続パネル６ａ、６ｂは矩形状かつ同一形状に形成されている。一対の第２接続パネル６ａ、６ｂは、一対の第１接続パネル４ａ、４ｂと共に、複数の箱体２０を段積みする際に、上側に配置される箱体２０を支える支持部を構成する。第２接続パネル６ａ、６ｂの幅は、端面パネル３ａ、３ｂの左右方向長さと略等しい。第２接続パネル６ａ、６ｂの延出方向長さとしては、第１接続パネル４ａ、４ｂの延出方向長さと同じとすることができる。
【００３２】
（第２折り返しパネル）
一対の第２折り返しパネル７ａ、７ｂは同一形状に形成されている。第２折り返しパネル７ａ、７ｂは、その両側縁に、基端から先端側に向けて幅方向の外側に傾斜する傾斜部１１と、傾斜部１１の先端から連続し、上下方向（第２折り返しパネル７ａ、７ｂの延出方向）に延びる直線状の非傾斜部１２とを有する。非傾斜部１２は、第２折り返しパネル７ａ、７ｂの先端縁まで至っている。換言すると、第２折り返しパネル７ａ、７ｂは、第２接続パネル６ａ、６ｂの先端縁から連続する等脚台形状の第１部分と、この第１部分の先端縁から連続する矩形状の第２部分とを有する。傾斜部１１は上記第１部分の両側縁に設けられ、非傾斜部１２は上記第２部分の両側縁に設けられている。当該箱用シート１は、第２折り返しパネル７ａ、７ｂが非傾斜部１２を有することで、図３に示すように、一対の第１折り返しパネル５ａ、５ｂの先端部（箱体２０における下端部）を側面パネル２ａ、２ｂと非傾斜部１２との間に挟み込みやすい。その結果、一対の第１折り返しパネル５ａ、５ｂの姿勢をより安定させ、箱体２０の座屈強度をより大きくすることができる。
【００３３】
傾斜部１１は直線状である。上下方向に対する傾斜部１１の傾斜角度の下限としては、１０°が好ましく、１５°がより好ましい。一方、上記傾斜角度の上限としては、２５°が好ましく、２０°がより好ましい。上記傾斜角度が上記下限に満たないと、第１接続パネル４ａ、４ｂの延出方向長さを十分に大きくすることができなくなり、複数の箱体２０を段積みした場合に、上側に段積みされる他の箱体２０を安定的に支持し難くなるおそれがある。逆に、上記傾斜角度が上記上限を超えると、箱体２０の座屈強度を十分に大きくし難くなるおそれがある。
【００３４】
各第２折り返しパネル７ａ、７ｂにおける傾斜部１１の先端同士の間隔（上記第１部分と上記第２部分との間の境界線の長さ）Ｌ２は、端面パネル３ａ、３ｂの左右方向長さＬ３よりもシート材１枚分から２枚分程度短い。具体的には、上記間隔Ｌ２と端面パネル３ａ、３ｂの左右方向長さＬ３との差としては、例えば３ｍｍ以上１２ｍｍ以下とすることができ、シート材が厚さ５ｍｍのＡフルートである場合、上記差としては５ｍｍ以上１０ｍｍ以下とすることができ、５ｍｍよりが好ましい。このように、上記差を上記範囲内とすることで、一対の第１折り返しパネル５ａ、５ｂの先端部を側面パネル２ａ、２ｂと第２折り返しパネル７ａ、７ｂとの間に挟み込みやすい。
【００３５】
図３に示すように、非傾斜部１２は、第１折り返しパネル５ａ、５ｂの先端部を側面パネル２ａ、２ｂとの間に挟み込む。非傾斜部１２の長さの下限としては、５ｍｍが好ましく、１０ｍｍがより好ましい。一方、非傾斜部１２の長さの上限としては、２５ｍｍが好ましく、２０ｍｍがより好ましい。上記長さが上記下限に満たないと、第１折り返しパネル５ａ、５ｂの先端部を側面パネル２ａ、２ｂとの間に安定的かつ確実に挟み込み難くなるおそれがある。逆に、上記長さが上記上限を超えると、傾斜部１１の傾斜角度が大きくなり過ぎて、箱体２０の座屈強度を十分に大きくし難くなるおそれや、傾斜部１１と非傾斜部１２との屈曲部分で第１折り返しパネル５ａ、５ｂに折り目が形成されるおそれがある。
【００３６】
第２折り返しパネル７ａ、７ｂと第２接続パネル６ａ、６ｂとの間の境界線には、シート材の内面に筋押しして形成された複数の罫線と複数のスリットとが交互に配置されたリード罫線が形成されていることが好ましい。この構成によると、第２折り返しパネル７ａ、７ｂを第２接続パネル６ａ、６ｂとの境界線で容易かつ確実に折り曲げやすい。
【００３７】
（底外フラップ）
一対の底外フラップ９ａ、９ｂは矩形状かつ略同一形状に形成されている。底外フラップ９ａ、９ｂの幅は、側面パネル２ａ、２ｂの左右方向長さと略等しい。底外フラップ９ａ、９ｂの延出方向長さは、端面パネル３ａ、３ｂの左右方向長さの略１／２である。
【００３８】
（底内フラップ）
一対の底内フラップ１０ａ、１０ｂは矩形状かつ略同一形状に形成されている。底内フラップ１０ａ、１０ｂの幅は、端面パネル３ａ、３ｂの左右方向長さよりもシート材１枚分程度短いことが好ましい。底内フラップ１０ａ、１０ｂの延出方向長さは、底外フラップ９ａ、９ｂの延出方向長さと略等しい。
【００３９】
図３に示すように、一対の第１折り返しパネル５ａ、５ｂの先端部は、一対の底内フラップ１０ａ、１０ｂの側縁によって内側から支持される。つまり、一対の第１折り返しパネル５ａ、５ｂの先端部は、側面パネル２ａ、２ｂと第２折り返しパネル７ａ、７ｂとの間に挟み込まれると同時に、側面パネル２ａ、２ｂと一対の底内フラップ１０ａ、１０ｂの側縁との間に挟み込まれる。この構成によると、第１折り返しパネル５ａ、５ｂの先端部は、幅方向の両端側では側面パネル２ａ、２ｂと第２折り返しパネル７ａ、７ｂとの間に挟み込まれ、かつ幅方向の中間部分では側面パネル２ａ、２ｂと一対の底内フラップ１０ａ、１０ｂとの間に挟み込まれる。これにより、一対の第１折り返しパネル５ａ、５ｂ及び一対の第２折り返しパネル７ａ、７ｂの折り返し形状がより安定的に維持される。その結果、箱体２０の強度を容易かつ確実に維持することができる。
【００４０】
＜利点＞
当該箱用シート１は、第１折り返しパネル５ａ、５ｂの延出方向長さが側面パネル２ａ、２ｂの上下方向長さと等しく、かつ第２折り返しパネル７ａ、７ｂの延出方向長さが端面パネル３ａ、３ｂの上下方向長さと等しいので、箱体２０の４つの側壁をそれぞれ２枚のパネル（側面パネル２ａ、２ｂと第１折り返しパネル５ａ、５ｂ、並びに端面パネル３ａ、３ｂと第２折り返しパネル７ａ、７ｂ）によって形成することができる。当該箱用シート１は、組立状態で、第１折り返しパネル５ａ、５ｂの内面が傾斜部１１に支持されているので、一対の第１接続パネル４ａ、４ｂ及び一対の第２接続パネル６ａ、６ｂの上方から荷重が加えられた場合でも、一対の第１折り返しパネル５ａ、５ｂ及び一対の第２折り返しパネル７ａ、７ｂの折り返し形状が維持されやすい。従って、当該箱用シート１は、組み立てられる箱体２０の座屈強度を十分に大きくすることができる。
【００４１】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４２】
例えば、箱体の底部を形成するための具体的な構成は特に限定されるものではない。当該箱用シートは、いわゆるワンタッチタイプ、アメリカンロックタイプ等の底部を形成するものであってもよい。
【００４３】
上記第２折り返しパネルの両側縁は上述の傾斜部のみから構成されていてもよい。
【産業上の利用可能性】
【００４４】
以上のように、本考案に係る箱用シートは、組み立てが容易でかつ座屈強度の大きいトレイ状の箱体として好適に用いられる。
【符号の説明】
【００４５】
１  箱用シート
２ａ、２ｂ  側面パネル
３ａ、３ｂ  端面パネル
４ａ、４ｂ  第１接続パネル
５ａ、５ｂ  第１折り返しパネル
６ａ、６ｂ  第２接続パネル
７ａ、７ｂ  第２折り返しパネル
８  糊代
９ａ、９ｂ  底外フラップ
１０ａ、１０ｂ  底内フラップ
１１  傾斜部
１２  非傾斜部
１３  側縁
２０  箱体
Ｘ  封函テープ
Ｄ  端面パネルの側縁を基準とする第２折り返しパネルの基端縁の切り欠き深さ
Ｌ１  第１接続パネルの延出方向長さ
Ｌ２  各第２折り返しパネルにおける傾斜部の先端同士の間隔
Ｌ３  端面パネルの左右方向長さ
【図１】
0003226980.tif 000003
【図２】
0003226980.tif 000004
【図３】
0003226980.tif 000005
【図４】
0003226980.tif 000006